(57)【特許請求の範囲】
【請求項１】
通信装置の構成要素を相互に接続するケーブル束の色々なケーブルの経路を形成し、選択的に配線し且つ保持する線の経路装置用の回動可能な道管カバー組立体であって、線の経路装置が、束の色々な線の経路を選択することを可能にするスロットを画定する少なくとも一対の隣接する道管指状体を有する実質的に平行な一対の道管壁を有する溝形道管を備える、回動可
．能な道管カバー組立体において、
細長い平坦な中央要素と、そのそれぞれの長手方向端縁に隣接して配置された複数のヒンジと、ヒンジの各々のそれぞれの長手方向端縁に隣接して配置された複数の隅部要素であって、中央要素と面一の第一の構成要素と、該第一の構成要素の長手方向端縁に隣接して配置された、第一の構成要素に対して直角に垂下する第二の構成要素とを有する複数の隅部要素と、それぞれの第二の構成要素の各々上の隔たった位置に配置された複数の別個の掛止め部であって、隣接する道管指状体の間にてスロットと作用可能に関係した係止機構を有する複数の別個の掛止め部とを備える、道管を包み込む一体に共押出し成形されたＵ字形のカバーを備え、
隣接する道管指状体の間のスロット内の係止位置に係止機構の各々を押し込むことにより、カバー組立体が道管の両壁に着脱可能に固着され、これにより、カバー組立体の長手方向側部に配置された係止機構を掛止め解除し且つカバー組立体を反対側のヒンジの周りで回動させることにより、カバー組立体を両方向に向けて開放位置まで回動させ得るようにした、回動可能な道管カバー組立体。
【請求項２】
請求項１の回動可能な道管カバー組立体において、前記複数の別個の掛止め部が、第二の構成要素を受け入れる溝と、該溝内に配置された取り付け手段と、係止機構が隣接する道管指状体の間に配置されたとき、係止機構を収容し且つ隣接する道管指状体の一対の末端を拘束する受容部とを更に備える、回動可能な道管カバー組立体。
【請求項３】
請求項２の回動可能な道管カバー組立体において、前記取り付け手段が、掛止め部を固着し得るように第二の構成要素に超音波溶接されたビードを更に備える、回動可能な道管カバー組立体。
【請求項４】
請求項２の回動可能な道管カバー組立体において、前記取り付け手段が、掛止め部を第二の構成要素に固着する接着剤を更に備える、回動可能な道管カバー組立体。
【請求項５】
請求項２の回動可能な道管カバー組立体において、前記取り付け手段が、掛止め部を第二の構成要素に固着する接着テープを更に備える、回動可能な道管カバー組立体。
【請求項６】
請求項２の回動可能な道管カバー組立体において、前記取り付け手段が、掛止め部を第二の構成要素に固着するねじ式締結具を更に備える、回動可能な道管カバー組立体。
【請求項７】
通信装置の構成要素を相互に接続するケーブル束の色々なケーブルの経路を形成し、選択的に配線し且つ保持する内曲可能な線の経路装置において、
線の束を受け入れる溝形道管であって、細長い基部と、該基部から略垂直に伸長する実質的に平行な２つの道管壁とを有し、該壁の各々が、そのそれぞれの長手方向端縁に隣接して配置され、該道管壁が、前記束の色々な線を選択的に配線することを可能にするスロットを画定する少なくとも一対の隣接する道管指状体を備える溝形道管と、
細長い平坦な中央要素と、そのそれぞれの長手方向端縁に隣接して配置された複数のヒンジと、ヒンジの各々のそれぞれの長手方向端縁に隣接して配置された複数の隅部要素であって、中央要素と面一の第一の構成要素と、該第一の構成要素の長手方向端縁に隣接して配置された第一の構成要素に対して直角に垂下する第二の構成要素とを有する複数の隅部要素と、それぞれの第二の構成要素の各々上の隔たった位置に配置された複数の別個の掛止め部であって、隣接する道管指状体の間にてスロットと作用可能に関係した係止機構を有する複数の別個の掛止め部とを備え、道管を包み込む一体に共押出し成形されたＵ字形のカバーから成るカバー組立体とを備え、これにより、隣接する道管指状体の間のスロット内の係止位置に係止機構の各々を押し込むことにより、カバー組立体が道管の両壁に着脱可能に固着され、これにより、カバー組立体の長手方向側部に配置された係止機構を掛止め解除し且つカバー組立体を反対側のヒンジの周りで回動させることにより、カバー組立体を両方向に向けて開放位置まで回動させ得るようにした、内曲可能な線の経路装置。
【請求項８】
請求項７の内曲可能な線の経路装置において、末端を有する道管指状体を更に備え、少なくとも１つの指状体がその末端に隣接し且つ他方の指状体に向けて伸長し、スロットに対する狭小なのど部を画定する耳状部を有する、内曲可能な線の経路装置。
【請求項９】
請求項７の内曲可能な線の経路装置において、前記複数の別個の掛止め部が、第二の構成要素を受け入れる溝と、該溝内に配置された取り付け手段と、係止機構が隣接する道管指状体の間に配置されたとき、係止機構を収容し且つ隣接する道管指状体の一対の末端を拘束する受容部とを更に備える、内曲可能な線の経路装置。
【請求項１０】
請求項９の内曲可能な線の経路装置において、前記取り付け手段が、掛止め部を固着し得るように第二の構成要素に超音波溶接されたビードを更に備える、内曲可能な線の経路装置。
【請求項１１】
請求項９の内曲可能な線の経路装置において、前記取り付け手段が、掛止め部を第二の構成要素に固着する接着剤を更に備える、内曲可能な線の経路装置。
【請求項１２】
請求項９の内曲可能な線の経路装置において、前記取り付け手段が、掛止め部を第二の構成要素に固着する接着テープを更に備える、内曲可能な線の経路装置。
【請求項１３】
請求項９の内曲可能な線の経路装置において、前記取り付け手段が、掛止め部を第二の構成要素に固着するねじ式締結具を更に備える、内曲可能な線の経路装置。
【請求項１４】
通信装置の構成要素を相互に接続するケーブル束の色々なケーブルの経路を形成し、選択的に配線し且つ保持する内曲可能な線の経路装置において、
線の束を受け入れる溝形道管であって、細長い基部と、該基部から略垂直に伸長する実質的に平行な２つの道管壁とを有し、該壁の各々が、そのそれぞれの長手方向端縁に隣接して配置され、該道管壁が、前記束の色々な線を選択的に配線することを可能にするスロットを画定する少なくとも一対の隣接する道管指状体を備える溝形道管と、
細長い平坦な中央要素と、そのそれぞれの長手方向端縁に隣接して配置された複数のヒンジと、ヒンジの各々のそれぞれの長手方向端縁に隣接して配置された複数の隅部要素であって、中央要素に対して直角の第一の構成要素と、該第一の構成要素の長手方向端縁に隣接して配置された第一の構成要素に対して直角に伸長する第二の構成要素とを有する複数の隅部要素とを備える、道管を包み込む一体に共押出し成形されたＵ字形のカバーから成るカバー組立体とを備え、これにより、隣接する道管指状体の間のスロット内の係止位置にカバー組立体の長手方向端縁の１つに沿って配置された係止機構の各々を押し込むことにより、カバー組立体が開放したままの位置にて道管の両壁に着脱可能に固着され、これにより、長手方向に整合した反対側の掛止め部を９０°回動させ且つ反対壁に沿って配置された隣接する道管指状体の間にてスロット内の係止位置に係止機構の各々を押し込むことにより、カバーの反対側の長手方向端縁が道管に着脱可能に固着され、これにより、カバー組立体の長手方向側部に配置された係止機構を掛止め解除し且つカバー組立体を反対側のヒンジの周りで回動させることにより、カバー組立体を両方向に向けて開放位置まで回動させ得るようにした、内曲可能な線の経路装置。
【請求項１５】
請求項１４の内曲可能な線の経路装置において、末端を有する道管指状体を更に備え、少なくとも１つの指状体がその末端に隣接し且つ他方の指状体に向けて伸長し、スロットに対する狭小なのど部を画定する耳状部を有する、内曲可能な線の経路装置。
【請求項１６】
請求項１４の内曲可能な線の経路装置において、前記複数の別個の掛止め部が、第二の構成要素を受け入れる溝と、該溝内に配置された取り付け手段と、係止機構が隣接する道管指状体の間に配置されたとき、係止機構を収容し且つ隣接する道管指状体の一対の末端を拘束する受容部とを更に備える、内曲可能な線の経路装置。
【請求項１７】
請求項１６の内曲可能な線の経路装置において、前記取り付け手段が、掛止め部を固着し得るように第二の構成要素に超音波溶接されたビードを更に備える、内曲可能な線の経路装置。
【請求項１８】
請求項１６の内曲可能な線の経路装置において、前記取り付け手段が、掛止め部を第二の構成要素に固着する接着剤を更に備える、内曲可能な線の経路装置。
【請求項１９】
請求項１６の内曲可能な線の経路装置において、前記取り付け手段が、掛止め部を第二の構成要素に固着する接着テープを更に備える、内曲可能な線の経路装置。
【請求項２０】
請求項１６の内曲可能な線の経路装置において、前記取り付け手段が、掛止め部を第二の構成要素に固着するねじ式締結具を更に備える、内曲可能な線の経路装置。
【発明の詳細な説明】
【０００１】
【発明の属する技術分野】
本発明は、線の経路（ｗｉｒｅｗａｙ）装置、より具体的には、溝形道管と、カバーとを備え、該カバーが付設後、内曲可能である可撓性の共押出し成形ヒンジ及び掛止め要素を複数、備える、線の経路装置に関する。
【０００２】
【従来の技術】
溝形道管を有し、該道管がスロット付き側壁を構成する直立の指状体を備える線の経路装置は、その経路を形成することが便利であること、配線の選択が可能であること、及び電気装置の構成要素を相互に接続する線束の色々な線を保持することが可能であるため、近年、顕著に一般に使用されるに至っている。こうした道管は、典型的に、配線の完了後に、線を道管内に保持するカバーを有している。
【０００３】
【発明が解決しようとする課題】
かかる道管及び半恒久的なカバーの使用に伴う問題点は、経路の形成及び配線の付設が完了した後、それに対し何らかの変更を加えるためには、カバー部材の全体を完全に切り離し且つ道管から除去して、何らかの作業を開始し得るように取って置かなければならないことである。勿論、何らかの変更を加えた後、その大きいカバーを道管に再度、取り付けなければならず、このことは、かなり困難で且つ骨の折れる作業である。配線装置の上記のスロット付き道管型式は、永年に亙って、電気、通信及びデータ伝送業界にて好ましい装置であり、また、より多くの電気、通信及びデータ製品が市場に登場するに伴い、経路の形成又は配線路を変更する頻度は著しく増加し、毎日、必要となることもしばしばであり、また、１時間毎に必要となる場合もある。このため、半恒久的なカバー部材の全体を道管部分から完全に除去すること、非可撓性の単一体の道管装置を使用するか、又は、基部に恒久的に固着され且つ非可撓性の単一体の道管を模擬し得る設計とされた可撓性のヒンジを有する別個のカバーを有することを必要とする従前の設計は扱い難く、時間を消費し、破損し易く、また、製造又は交換が非経済的であり、全体として、付設作業者にとってやっかいなものである。
【０００４】
かかる従来技術の設計の１つがパンディットコーポレーション（Ｐａｎｄｕｉｔ  Ｃｏｒｐ．）に共有譲渡された、ケーブニー（Ｃａｖｅｎｅｙ）への米国特許第３，８９０，４５９号に記載されており、この特許には、カバーをスナップ嵌めし又は摺動させるかの何れかにより道管の指状体の末端における保持フランジと係合させることにより、道管を包み込む、基本的に恒久的に取り付けたカバーを有するスロット付き道管が開示されている。該カバーは、付設作業者がその内部に保持された線及び変更が為された後に同様に再度取り付けられた線の配線路を少しでも変更するためには、完全に除去しなければならない。この米国特許第３，８９０，４５９号は、参考として引用し、本明細書に含めてある。
【０００５】
上記の取り扱い難い設計を解決しようとする従来技術の道管のもう１つの例は、溝及び溝カバーを一体に押出し成形するものである。その２つの部材は、薄いヒンジ部分によって相互に接続されており、その薄いヒンジ部分は、一体の押出し成形品の一部を形成し且つ関係した溝及びカバーを形成する同一の比較的硬いプラスチック材料で製造されている。このヒンジは、望ましい可撓性が得られるように、「薄く」形成されている。追加的なケーブル又はケーブルの配線換えを行うときのように、道管溝への反復的なアクセスが必要とされない限り、この装置は、許容し得る程度に機能する。溝及びカバーと同一の材料にて押出し成形されたヒンジは、性質上、脆弱であり、比較的少ない接続サイクルの後に、容易に疲労する。このため、この設計は、標準以下であり、現在、見られる配線路の変更頻度の観点からして不十分である。
【０００６】
より最近の従来技術の設計は、基本的に、従前の単一体の道管装置を模擬し得るように従来のＵ字形の中実壁又はスロット無しの道管溝を可撓性のヒンジを有するカバー部材と恒久的に組み合わせるものである。多重的にアクセスすることの有利な点は、恒久的に取り付けたカバーにて二重のデェロメータ硬さの押出し成形品によって得られ、このことは、従来技術の破損の問題点の殆どを解消する。しかしながら、この設計もまた、性質上の欠点及び短所を有しており、その最も顕著なものは、鋳型の形状が難しく、コスト高で且つ複雑なこと、恒久的に取り付けるため、カバーの一側部を迅速に除去し得ないこと、取り付けの自由度が欠如すること、また、一方向にのみ開放するカバーのため、両方向に開放しないこと、すなわち、作業者への利便性が欠如していることである。この設計は、実際上、サンチュシィ（Ｓａｎｔｕｃｃｉ）及びその他の者により教示されたように取り付けたとき、スロット付き道管の能力を制限することになり、このことは、回動可能なカバーを道管の一側部に恒久的に取り付けることを必要とする。上記のケーブニーへの米国特許第３，８９０，４５９号に記載されたようなスロット付き道管は、道管の両側から線が出たり、入ったりするような設計とされている。このスロット付き設計により提供される付設及び配線路の変更時の自由度は、この型式の道管を極めて一般的に採用されるものとしている。道管が最高レベルの性能を発揮するためには、道管の各側部に配置されたスロットへのアクセスが絶対的に必要とされる。サンチュシィ及びその他の者は、その内部に収容した線の操作、経路の形成又は配線のため、両側部のスロットを露出させるべく両方向に回動することはできない。その結果、一方が他方の設計、目的、及び作用と適合しないため、この従来技術の設計は、スロット付き道管組立体に具体化することができない。
【０００７】
このため、アクセス可能で且つ内曲可能な線の経路装置の設計において、簡単で、一部分又は完全に取り外し可能であり、非恒久的で便利且つ自由度のある設計が望まれ、線の経路装置の技術の改良が必要とされている。
【０００８】
このため、本発明の１つの目的は、望ましいことである、カバーを道管溝から取り外すことを許容する一方にて、その内部の線及びケーブルの交換又は配線路の変更を容易にするのに必要なように、付設作業者がカバーを両側から繰り返し開閉することを許容する、２つの部分から成る線の経路装置として両側にてヒンジ止めしたカバー及びスロット付き道管の溝の機能を組み合わせる、アクセス可能で且つ内曲可能な線の経路装置を提供することである。
【０００９】
本発明の別の目的は、現在の線の経路装置がスロット付き道管溝内に取り付けられたとき、両方向から道管への実質的に無制限なアクセスを容易にし、また、カバーを両側部から多数回、開閉することを可能にし、これにより、その内部の配線及びケーブルの形態を変更することを許容することである。
【００１０】
本発明の更に別の目的は、両側にてヒンジ止めした構成をカバー組立体内に提供すること、及びかかるヒンジをカバーと一体に形成し、線の経路装置の多数回の開閉サイクル時、ヒンジが疲労したり、又はさもなければ破損を生じないようにすることである。
【００１１】
本発明の更に別の目的は、カバーには、該カバーの各側部に配置した多数の別個の掛止め部が設けられ、これらの掛止め部は、隣接する道管の指状体の間にてスロットに解放可能に係合するようにすることである。
【００１２】
更なる目的は、道管のカバーが「開放したまま」の位置に偏倚されるように一体に成形され、これにより、道管溝に取り付けたとき、カバーが付設作業者によって閉じられ且つ反対側にて掛止めされる迄、開放したままであるように偏倚されるようにすることである。
【００１３】
【課題を解決するための手段】
簡単に説明すれば、本発明の内曲可能な線の経路装置は、溝形のスロット付き道管と、一体に共押出し成形されたＵ字形カバーと、別個の掛止め部とを備えている。道管は、細長い基部と、該基部から略垂直に伸長する略平行な２つの道管壁とを有しており、壁の各々は、そのそれぞれの長手方向端縁に隣接して配置されている。道管壁は、束の線を選択的に配線することを許容するスロットを画定する隣接した少なくとも一対の道管指状体を有している。該カバーは、複数のヒンジがそのそれぞれの長手方向端縁に隣接して配置された、細長い平坦な中央要素と、ヒンジの各々のそれぞれの長手方向端縁に隣接して配置された複数の隅部要素とを有している。隅部要素は、該中央要素と面一の第一の構成要素と、該第一の構成要素の長手方向端縁に隣接して配置された、第一の構成要素に対して直角に垂下する第二の構成要素とを有している。カバーが「開放したまま」の位置に偏倚されるように成形されたとき、第一及び第二の構成要素の方向を変更することができる。複数の別個の掛止め部が隔たった位置に配置され且つそれぞれの第二の構成要素上に固着されている。該複数の掛止め部は、カバー組立体を道管に固着するため、隣接する道管の指状体の間にてスロットと協働する係止機構を有している。カバー組立体の各側部は、隣接する道管指状体の間にてスロットの係止位置に係止機構の各々を押し込むことにより道管に取り外し可能に固着され、カバー組立体は、カバー組立体の長手方向側部に配置された係止機構を非掛止め状態にし且つカバー組立体を反対側のヒンジの周りで回動させることにより両方向に回動させることができる。
【００１４】
【好適な実施の形態の説明】
対応する参照番号は幾つかの図面の全体を通じて対応する部品を表示する。
先ず、図面の図１を参照すると、電気装置の構成要素を相互に接続する線の束１４の色々な線１２の通路を形成し、選択的に配線し且つ保持する本発明のアクセス可能で且つ内曲可能な線の経路装置が全体として参照番号１０で表示されている。線の束１４という語は、その広い意味で使用し、線がストリング又はストラップによって共に結束されているかどうかを問わずに、あらゆる線の群を含むものとする。線の経路装置１０は、線の束１４を受け入れる溝形道管１６と、配線の完了後に道管１６を包み込むと共に、道管の両側部から道管内の線にアクセスすることを許容するカバー組立体１８とを備えている。溝形道管は、単一体の道管と、モジュラー式道管とを含んでおり、該モジュラー式道管は、組み立てた後、溝形の形状となる。線の経路装置１０を操作盤、通信ラック等に取り付けるための機器は図示していない。
【００１５】
より具体的には、図２に図示するように、道管１６は、細長い基部２０と、該基部から略垂直に伸長する実質的に平行な２つの道管壁２２とを有しており、壁２２の各々は、そのそれぞれの長手方向端縁２１に隣接して配置されている。道管の壁２２は、隣接する一対の道管指状体２４を備えている。該道管指状体は、束１４の色々な線１２を選択的に配線することを許容するスロット２６を画定する。図８、図１０に図示するように、道管指状体２４の各々は、道管１６の長手方向１００に向けて反対方向に伸長する一対の耳状部２８を有しており、隣接する道管の指状部２４の隣接する指状体は、隣接する指状体２４により画定された対応するスロット２６に対する狭小なのど部３０を画定する。のど部３０の幅は、スロット２６内に以前に挿入した線１２が出るのを線１２の直径よりも狭いことが好ましい。道管の指状体２４は、基部２０の長手方向１００に対して横断方向に弾性的に撓み可能である末端２５を有しており、対応するのど部３０が線１２の通過を許容するのに十分に開放する迄、指状体２４を撓ませることにより線１２はスロット２６を通じて配線される。また、耳状部２８及びのど部３０は、以下に説明するように、カバー組立体１８を所定位置に固着する働きもする。また、線の経路装置１０は、図示した水平方向に配置することに加えて、垂直方向に取り付けるのにも適している。
【００１６】
図３、図６、図７、図９に図示するように、カバー組立体１８は、中央要素３４と、ヒンジ３６と、隅部要素３８と、掛止め部４４とを含む色々な部品から成っている。組立体という語に関して、中央要素３４、ヒンジ３６、隅部要素３８を含む、本発明のカバー組立体１８を形成する略全ての構造的部材は、押出し機が、単一のダイ内に連結されているため、二重デュロメータ硬さのプラスチックの共押出し成形法を使用して単一の押出し成形部材として一体に製造されることを理解すべきである。押出し機の幾つかが、例えば、中央要素３４及び隅部要素３８のようなカバーの対応するより硬い部分を形成する比較的高デュロメータ硬さのＰＶＣプラスチックを供給する一方、他方の押出し機は、対応する組立体の実際の可撓性ヒンジ３６を画定する、ゲオン（Ｇｅｏｎ）８０００シリーズの可撓性ビニルのような低デュロメータＰＶＣ材料を提供する。
【００１７】
細長い平坦な中央要素３４は、カバー組立体１８の主要部分を形成し、可撓性のビニルヒンジ３６が上述した方法にてそのそれぞれの長手方向端縁３５に隣接して配置されている。隅部要素３８は、可撓性のビニルヒンジ３６のそれぞれの長手方向端縁３７の各々に隣接して配置されており、第一の構成要素４０と、第二の構成要素４２とを有している。図１乃至図１０に図示した本発明の第一の実施の形態において、第一の構成要素４０は、中央要素３４と面一にヒンジ３６の長手方向端縁３７に隣接して共押出し成形され、第二の構成要素４２は、第一の構成要素４０の長手方向端縁４１に隣接して第一の構成要素に対し直角に垂下している。この形態において、押出しばねが図７に図示するようにカバー組立体１８を「閉じたまま」の位置に偏倚させる。この押し出しばねは、一組みの掛止め部４４が一つの道管壁２２に取り付けられたときであるその自然な休止状態において、他方の組みの掛止め部４４を反対側の道管壁２２の道管指状体２４の末端２５に隣接するように配置するだけである。図２、図６に図示した開放位置は、カバー組立体の垂直方向を維持し得るように付設作業者又はその他の装置による支援を必要とする。
【００１８】
図１１乃至図１５に図示した本発明の１つの代替的な実施の形態において、第一の構成要素４０及びヒンジ３６の各々は押出し成形され、可撓性のヒンジ３６の各々が円弧状の形状で上方に湾曲し、また、可撓性のヒンジ３６の各々の長手方向端縁３７に隣接して配置される一方、第一の構成要素４０を中央要素３４に対して直角に配置し得るようにばね偏倚されるようにする。第二の構成要素４２は、第一の構成要素４０の長手方向端縁４１に隣接して第一の構成要素４０に対して直角のままであるならば、該構成要素は中央要素３４に対して平行に方向決めされる。この代替的な実施の形態において押出し成形品は、図１１、図１２に図示するように、カバー組立体１８を「開放したまま」の位置にばね偏倚させ、この位置において、カバー組立体１８は、１つの道管壁２２に取り付けられたとき、何ら外部の支援を必要とせずに、略垂直の方向を保つことになる。
【００１９】
図４及び図５に最も良く図示するように、好ましくは、カバー組立体１８を道管１６に固着し得るように、それぞれの第二の構成要素４２の各々上の隔たった位置に複数の別個の掛止め部４４が配置されるようにする。掛止め部４４の構造的組成は、中央に配置された主要ウェブ５４と、底部分６２により主要ウェブ５４に連結された外側ウェブ５６と、頂部分６０により主要ウェブ５４に連結された内側ウェブ５８とを備えている。主要ウェブ５４と外側ウェブ５６との間に配置された溝４８は、一側部にて、底部分６２により更に画定される。従来の方法にて掛止め部４４を第二の構成要素４２に超音波溶接するための材料を提供すべく細長いビード５０が主要ウェブ５４及び外側ウェブ５６上に配置された溝４８内に形成されている。図示しないが、接着剤、接着テープ及びねじ式締結具のような掛止め部４４を第二の構成要素４２に固着する他の色々な方法を提供することができる。主要ウェブ５４、内側ウェブ５８、頂部分６０により受容部５２が掛止め部４４に形成されている。頂部分６０から垂下し且つ主要ウェブ５４及び内側ウェブ５８と一体の支え材６６と、主要ウェブ５４と一体に形成された、矢じり形の末端部分６４とを有する係止機構４６が受容部５２内の中央に配置されている。末端部分６４は、掛止め部４４と道管壁２２との間にて確実な保持関係を実現するために必要とされるであろう任意の形態を有することができる。
【００２０】
作動時、道管１６を図示しない所望の表面に固着した後、線の束１４の線１２をその適正な目的地に向けて経路を形成し且つ配線することができ、カバー組立体１８は、道管壁２２に強固に取り付けることができる。カバー組立体１８の１つの縁部を対応する道管壁２２と整合状態にて長手方向に位置決めし且つ各掛止め部４４の係止機構４６を隣接する道管の指状体２４の間にてスロット２６内に配置された耳状部２８及びのど部３０と関係させることにより、この取り付けが実現される。掛止め部４４の各々を更に押すことにより、末端部分６４は、のど部３０を通じて付勢され且つ図１０に図示するように、隣接する耳状部２８の下方に最終的に配置される。掛止め部４４の各々の取り付けが完了したとき、隣接する道管の指状体２４の耳状部２８は、係止機構の支え材６６に接触する。カバー組立体１８の反対側側部を固着するため、付設作業者は、カバー組立体１８をその前に設置した側部に隣接する可撓性ヒンジ３６の周りで回動させて、上記に概説した掛止め部の付設方法を繰り返す。これが一度び完了したならば、最初の付設方法は完了したことになる。
【００２１】
線１２の経路の形成又は経路再設定の変更が必要とされるとき、付設作業者は、単にカバー組立体１８を１つの長手方向端縁に沿って配置された掛止め部４４を分離し、カバー組立体１８は反対側の可撓性のヒンジ３６の周りで回動させ、アクセス可能にし且つ道管を内曲させて、線１２の経路の形成又は経路再設定の上記の変更を行う。再取り付けは、上述した通りである。本発明の別の有利な点は、スロット付き道管１６をその完全な可能性限界まで活用するため、カバー組立体１８を道管壁２２から分離し且つ反対側に配置された可撓性のヒンジ３６の周りで回動させることができる点である。このように、道管の両側部から入り又はその両側部から出る線１２へのアクセスが可能となり、その経路の再設定が簡略化する。
【００２２】
図１１乃至図１５に図示した代替的な実施の形態は、上記に詳細に説明したように、カバー組立体１８内に押出し成形された「開放したまま」の位置を有するという更なる有利な点をもたらす。当然に、付設作業者は、カバー組立体１８を開放状態に保持したり、かかる作業を外部の装置を使用する必要がないから、両手を自由に使用することが可能である。その他の点において、この代替的な実施の形態のカバー組立体は、図１４に図示するように、固着する前、取り付けられていない長手方向側部を９０°回転させることを更に加えて、第一の実施の形態と同一の方法にて取り付け、取り外し且つ機能することになる。
【００２３】
本発明の特別の実施の形態を図示し且つ説明したが、本発明及びそのより広い特徴から逸脱せずに変更及び改変例が具体化可能であることが当業者に明らかであろう。上記の説明及び添付図面に図示した事項は、単に一例にしか過ぎず且つ限定的なものではない。
【図面の簡単な説明】
【図１】本発明の組み立てた内曲可能な線の経路装置の斜視図である。
【図２】１つの開放位置にあるときの図１の線の経路装置の斜視図である。
【図３】図１の線の経路装置の部分分解図である。
【図４】図１の線の経路装置の掛止め部の詳細な断面図である。
【図５】図１の線の経路装置の溝の詳細な断面図である。
【図６】図２の線６−６に沿った線の経路装置の断面図である。
【図７】掛止め前又は掛止め解除後のカバーを示す、図６と同様の端部断面図である。
【図８】図７の線８−８に沿った線の経路装置の断面図である。
【図９】完全に係合した図１の線の経路装置のカバー組立体及び道管部材の端部断面図である。
【図１０】掛止め部が道管に係合する状態の詳細を示す、図９の線１０−１０に沿った完全に係合した道管及びカバー組立体の部分断面図である。
【図１１】「開いたまま」位置に偏倚されるように押出し成形されたカバーを有する本発明の線の経路装置の１つの代替的な実施の形態の部分斜視図である。
【図１２】図１１の線１２−１２に沿った線の経路装置の端部断面図である。
【図１３】図１１の線の経路装置の掛止め部を省略した、カバー組立体の端部断面図である。
【図１４】カバー組立体の反対側側部を道管の溝に取り付ける状態を示す、図１１の線の経路装置の端部断面図である。
【図１５】完全に組み立てられた図１１の線の経路装置の端部断面図である。
【符号の説明】
１０  線の経路装置              １２  線
１４  線の束                    １６  溝形道管
１８  カバー組立体              ２０  細長い基部
２１  長手方向端縁              ２２  道管壁
２４  道管指状体                ２５  末端
２６  スロット                  ２８  耳状部
３０  のど部                    ３４  中央要素
３６  可撓性ヒンジ              ３７  長手方向端縁
３８  隅部要素                  ４０  第一の構成要素
４１  長手方向端縁              ４２  第二の構成要素
４４  掛止め部                  ４６  係止機構
５０  細長いビード              ５２  受容部
５４  主要ウェブ                ５６  外側ウェブ
５８  内側ウェブ                ６０  頂部分
６２  底部分                    ６４  末端部分
６６  支え材                    １００  長手方向
【図１】
0004006161.tif 000002
【図２】
0004006161.tif 000003
【図３】
0004006161.tif 000004
【図４】
0004006161.tif 000005
【図５】
0004006161.tif 000006
【図６】
0004006161.tif 000007
【図７】
0004006161.tif 000008
【図８】
0004006161.tif 000009
【図９】
0004006161.tif 000010
【図１０】
0004006161.tif 000011
【図１１】
0004006161.tif 000012
【図１２】
0004006161.tif 000013
【図１３】
0004006161.tif 000014
【図１４】
0004006161.tif 000015
【図１５】
0004006161.tif 000016